(57)【要約】【課題】  本考案は縦長のスペア収納と補填の可動式トイレツトペーパーホルダーにおいて、着脱自在で固定と調整と上下の取付変更と、細部清掃が容易であることを目的とする。【解決手段】  本考案は上記トイレットペーパホルダーにおいて、図に示すように、使用位置の支軸をクッション付き円板軸４ａと４ｂと、手締コイン締のボルト軸６ａと６ｂにニ分割で構成し着脱自在として、円板軸収納内室３とボックスナット２ａと２ｂ付き取付ボックス１と、支持棒１０ａと１０ｂを上下にと下用ペーパーカッター１７付横板とを有した可動ホルダー７との、固定と調整と上下取付変更と着脱とを行い、可動ホルダー７の揺れ止めと、遮蔽物真下への取付変更と、独立体の構成で着脱が手で自在にでき、細部清掃を容易に行うことができる。【選択図】  図１
0003122654.tif 000002
【実用新案登録請求の範囲】
【請求項１】
上下２段でロールペーパーを保持する左右の支持棒と、その上下２段の左右の支持棒間に亘った縦長の可動ホルダーと、その可動ホルダー側板左右の全長間に亘って外側にガイドレールと、その左右ガイドレール内側に位置し、且つ、可動ホルダーを上下に反転させる円板軸と、その円板軸を取付ボックスの上下の任意の位置で着脱自在に接続させるボルト軸とで取付変更を成し、上下２段の支持棒の１つはスペアロールペーパーを保持することを特徴としたトイレットペーパーホルダー。
【請求項２】
支軸を二分割し、可動ホルダーを取付ボックスの上下の任意の位置で、軸支持と固定と調整と取付変更と着脱とを行い、ボルト軸を接続させるナットと可動ホルダーの固定と調整用のクッションを有した円板軸を可動ホルダー側板の外側に、その円板軸に接続してともに支軸となり、手締めコイン締めとも成すボルトコインを有するボルト軸を取付ボックスの外側に、それぞれ左右に設けた、請求項１のトイレットペーパーホルダー。
【請求項３】
固定と調整用の左右ホルダー側板と、そのホルダー側板全長の外側に円板軸の外周を上下に反転する時のガイドレールを左右に有し、ホルダー側板の内側の上下に２段のロールペーパー保持用の支持棒を左右に有するとともに、下の使用時のペーパーカッターを付けた前板を前後に有する可動ホルダーを設けた、トイレットペーパーホルダー。
【請求項４】
円板軸を仮固定する時の円板軸収納内室と、ボルト軸接続用の上下２個のナットと、ペーパーカッター取付け用ビス孔とをそれぞれ左右ボックス側板に有し、躯体取付用の取付孔４個も有する取付ボックスを設け、可動ホルダーより高い形にした、請求項１のトイレットペーパーホルダー。
【考案の詳細な説明】
【技術分野】
【０００１】
本考案は、上下２段のロールペーパーを保持する支持棒と、その支持棒間に亘った縦長の可動ホルダーを有する、スペア収納と補填を成すトイレットペーパーホルダーに係わり、使用ロールペーパー位置の支軸を上下の任意の位置に自在に取付変更でき、支軸を円板軸とボルト軸に二分割して可動ホルダーを着脱自在とし、可動ホルダーの反転でスペアロールペーパーの補填と、ロールペーパー空芯と新たなスペアロールペーパーとの交換も使用状態のまま行え、着脱自在の独立体で構成されて、トイレットペーパーホルダーの細部清掃も容易にできるトイレットペーパーホルダーに関する。
【背景技術】
【０００２】
従来の縦長のスペア収納と補填ができる可動式のトイレットペーパホルダーは、上下反転用の支軸の軸径が小さく吊下げ式で、ペーパー使用時に揺れが伴い、分解組立てが手では容易ではなく、使用ロールペーパーの位置の変更はできず、トイレットペーパーホルダー本体真上に棚等遮蔽物がある時には取付できず、可動ホルダーの軸受けと支軸との細部清掃も容易でなく、埃などによる動作不良がおき易い。
【考案の開示】
【考案が解決しようとする課題】
【０００３】
本考案は前述の問題点を、着脱が自在で、揺れ止めと遮蔽物真下への取付変更と細部清掃が容易な、縦長のスペア収納と補填を成す可動式のトイレットペーパーホルダーを提供することを目的とする。
【課題を解決するための手段】
【０００４】
前述の可動式のトイレットペーパーホルダーにおいて、支軸を左右の円板軸とボルト軸とに二分割して可動ホルダーの着脱を自在にし、円板軸に硬質ゴム材等のクッションとボルト軸接続用のナットを有し、広密着面と広支軸の円板状の形とし、ボルト軸に手締めコイン締めとも成すボルトコインを有し、可動ホルダーを自在に固定と調整と着脱とをさせて、取付ボックスの上下の任意の位置で支持でき、その可動ホルダーに円板軸の外周を上下に回転する時のガイドレールを左右ホルダー側板全長の外側に、上下２段のロールペーパー保持用の支持棒を内側に、下使用の時のペーパーカッター付前板を前後に配設して、上下半円筒箱状の形とし、その可動ホルダーを装填させる取付ボックスに、ボルト軸を取付けるナットを上下２個と円板軸を仮固定する時の円板軸収納内室とを左右ボックス側板に有し、円板軸とボルト軸と可動ホルダーと取付ベースとを、それぞれ独立体で構成して、取付ボックスに装填の可動ホルダーを自在に固定と調整と着脱とを行ない、上下の任意の位置で使用位置の変更をも成す。この時の使用位置とは、支軸のボルト軸と円板軸の各左右間に亘る支持棒を示し、もう１つの左右支持棒がスペア位置となる。
【０００５】
上使用位置の時は、使用位置である支軸のボルト軸と円板軸は取付ボックスに付設の上のナット左右を使用し、可動ホルダーに付設の支持棒は上の左右を使用位置として、下使用位置の時には、下の左右のナットを使用し、支持棒は下の左右を当てて使用位置とし、円板軸とボルト軸とを接続させて可動ホルダーを支持し、下使用位置の時は、降下防止にボルト軸を手で締め付けて可動ホルダー側板外側を圧着固定し、その時のスペアロールペーパー補填は、左右どちらかのボルト軸を緩めて可動ホルダーを下へ降ろしてから上方へ反転させ、スペア位置となった上方へ位置を入替え、ボルト軸を手で締め付けてスペア位置と使用位置との相互の位置入替えが完了し、新たなスペアロールペーパーの補充も、可動ホルダーより高くされた取付ボックス上方の空間内でペーパー使用状態のまま行え、また、可動ホルダーと取付ボックスと円板軸とボルト軸とを、それぞれ独立体で構成し、自在な着脱と細部清掃も容易に行え、したがって問題点解決の技術的手段とできる。
【考案の効果】
【０００６】
（１）  請求項１において、二分割された円板軸とボルト軸とで、取付ボックスの任意の位置で取付変更ができ、上下二段の左右に設けられた支持棒で保持された２個のロールペーパーが上下ともに、使用ロールペーパーとスペアロールペーパーとに交互に変更できて、下使用の時のペーパーカッター付き前板を有する可動ホルダーにより、棚板等の遮蔽物の真下への取付変更が成り、着脱自在でそれぞれの細部清掃も容易に行える。
（２）  請求項２において、従来の可動ホルダー式の支軸は軸径が小さく吊下げ式で、可動ホルダーの固定と調整と着脱とができず、本考案の、支軸をボルト軸と円板軸とに二分割し、広密着面の円板状の形とクッションとを有した円板軸により、自在に可動ホルダーの着脱と固定と調整と取付ボックスの任意の位置での取付変更が行え、棚板等の遮蔽物の真下への取付変更が成る。
（３）  請求項３において、円板軸の外周を上下に自在に反転し、既存の性能を有する支持棒を取り入れることで左右の側板が設けられ、下使用の時のペーパーカッター付き前板を有する可動ホルダーにより、上下の任意の位置に取付変更でき、棚板等の遮蔽物の真下への取り付け変更が成る。
（４）  請求項４において、左右側板の内側に上下の任意の位置にボルト軸接続用のナットを２個と、円板軸を仮固定する時の円板軸収納内室を設けた取付ボックスにより、取付ボックスと可動ホルダーとを着脱自在にして、棚板等の遮蔽物の真下への取付変更と、それぞれの細部清掃も容易に行える。
【考案を実施するための最良の形態】
【０００７】
本考案のトイレットペーパーホルダーにおいて、上使用位置の時には、ボルト軸で円板軸を調整し可動ホルダーの揺れ止めを行い、取付ボックスの下のボックスナットを使用して、円板軸をボルト軸により締め付けて圧着固定して下使用位置とする。使用位置となる支軸を円板軸とボルト軸とに二分割して着脱を自在にし、円板軸は広密着面の円板状で硬質ゴム製等のクッションを有し、手締めコイン締めともに成るボルト軸と、円板軸収納内室と上下２個のナットとを各左右に有した取付ボックスと、上下半円筒箱状の形で、上下２段の支持棒をホルダー側板の内側左右と、円板軸の外周を上下に反転するためのガイドレールをホルダー側板の外側左右に、且つ、下使用位置時のペーパーカッター付前板を前後に有した可動ホルダーとを、それぞれそ独立体で構成したことで、自在に固定と調整と着脱と上下の使用位置の変更と細部清掃とが行え、棚等遮蔽物真下への取付変更も成る。また、成型樹脂製を素材とした場合は大量生産でき、安価で多種多色な一般家庭用として、ステンレス等金属類と成型樹脂製部材の組合わせで公共施設やビル等に提供できるトイレットペーパーホルダーとして対応し得る。
【実施例】
【０００８】
以下、添付図面に基づいて一実施例を説明する。図１と図３と図４の上使用位置の時は、取付ボックス１の左右の上のボックスナット２ａを通じ、左右の円板軸収納内室３に左右の円板軸４ａと４ｂの軸ナット５に、左右のボルト軸６ａと６ｂで接続仮固定し、可動ホルダー７の左右のホルダー側板８外側と左右のガイドレール９内に装填して上使用位置となり、左右の支持棒１０ａが使用ロールペーパーＸを保持する。左右の支持棒１０ｂで保持されたスペアロールペーパーＹが下方に位置する。使用位置でロールペーパー空芯Ｚとなった場合、下方のスペア位置を手で手前上方へ反転し上方より可動ホルダー７を下ろすと、スペア位置と使用位置の相互の位置入替えが行え、スペアロールペーパーＹの使用位置への補填が完了する。スペア位置に移行したロールペーパー空芯Ｚと新たなスペアロールペーパーＹとの交換も、使用状態のまま下方スペア位置で行える。また、ペーパー使用状態によりボルト軸６ａか６ｂにて揺れ止め調整を行う。
【０００９】
次に、本考案の実施形態に係る下使用位置について、図５に基づき説明する。予めペーパーカッター１１は撤去して、使用位置である支軸を取付ボックス１下の左右ボックスナット２ｂに移行して、上使用位置と同様に円板軸４ａと４ｂを仮固定し、可動ホルダー７下方のホルダー側板８とガイドレール９内に、ボルト軸６ａと６ｂとで締め付けて圧着固定し、下使用位置となる。左右の支持棒１０ｂが使用ロールペーパーＸを保持し、左右の支持棒１０ａで保持するのがスペアロールペーパーＹとなる。スペアロールペーパーＹの補填は、図５の手で可動ホルダー７を支持しながらボルト軸６ａか６ｂを緩め下方へ移動させ、図６と図７の手前上方へ反転して、上スペア位置にて可動ホルダー７を手で保持したままボルト軸６ａか６ｂを締め付けて圧着固定し、相互の位置入替えを行う。新たなスペアロールペーパーＹの補充は、上部スペア位置上方に設けられた空間にてペーパー使用状態のまま行える。
【００１０】
図１と図４に示すように、構成を取付ボックス１と可動ホルダー７と円板軸４ａと４ｂとボルト軸６ａと６ｂとし、それぞれそ独立体として、自在に着脱を行い、それぞれの細部清掃を容易なものとし．また、図１１で示す支持棒１０ａと１０ｂは既存の性能を持つものを取り入れた。
【図面の簡単な説明】
【００１１】
【図１】本考案のトイレツトペーパーホルダーの分解斜視図
【図２】本考案のトイレットペーパーホルダーの平面図
【図３】本考案のトイレットペーパーホルダーの正面図
【図４】図２のＡ−Ａ断面図
【図５】トイレットペーパーホルダーの下使用位置の斜視図
【図６】同上のスペアロールペーパーの補填時を示す斜視図
【図７】図６から上方向への反転初期の斜視図
【図８】同上の反転終期の斜視図
【図９】円板軸の斜視図
【図１０】可動ホルダー付設部の一部破断斜視図
【図１１】支持棒付設部の斜視図
【図１２】円板軸の斜視図
【図１３】軸ナットの斜視図でボックスナットと共通
【図１４】ボルト軸の斜視図
【符号の説明】
【００１２】
１  取付ボックス
２ａ  ボックスナットａ
２ｂ  ボックスナットｂ
３  円板軸収納内室
４ａ  円板軸ａ
４ｂ  円板軸ｂ
５  軸ナット
６ａ  ボルト軸ａ
６ｂ  ボルト軸ｂ
７  可動ホルダー
８  ホルダー側板
９  ガイドレール
１０ａ  支持棒ａ
１０ｂ  支持棒ｂ
１１  ペーパーカッター
１２  ビス孔
１３  クッション
１４  ボルト芯
１５  ボルトコイン
１６ａ  前板ａ
１６ｂ  前板ｂ
１７  下用ペーパーカッター
１８  支持棒収納内室
１９  支持棒芯
２０  バネ
２１  ビス
２２  ボックス側板
２３  取付孔
Ｈ  ハンド
Ｘ  使用ロールペーパー
Ｙ  スペアロールペーパー
Ｚ  ロールペーパー空芯
【図１】
0003122654.tif 000003
【図２】
0003122654.tif 000004
【図３】
0003122654.tif 000005
【図４】
0003122654.tif 000006
【図５】
0003122654.tif 000007
【図６】
0003122654.tif 000008
【図７】
0003122654.tif 000009
【図８】
0003122654.tif 000010
【図９】
0003122654.tif 000011
【図１０】
0003122654.tif 000012
【図１１】
0003122654.tif 000013
【図１２】
0003122654.tif 000014
【図１３】
0003122654.tif 000015
【図１４】
0003122654.tif 000016
【手続補正書】
【提出日】平成18年4月7日(2006.4.7)
【手続補正１】
【補正対象書類名】実用新案登録請求の範囲
【補正対象項目名】請求項３
【補正方法】変更
【補正の内容】
【請求項３】
固定と調整用の左右ホルダー側板と、そのホルダー側板全長の外側に円板軸の外周を上下に反転する時ののガイドレールを左右に有し、ホルダー側板の内側の上下に２段のロールペーパー保持用の支持棒を左右に有するとともに、下の使用時のペーパーカッターを付けた前板を前後に有する可動ホルダーを設けた、請求項１のトイレットペーパーホルダー。
【手続補正書】
【提出日】平成18年5月2日(2006.5.2)
【手続補正１】
【補正対象書類名】図面
【補正対象項目名】図１
【補正方法】変更
【補正の内容】
【図１】
0003122654.tif 000017